(57)【要約】【課題】  ジョブの処理を実行する際、印刷装置で印刷した複数の原稿を、画像処理装置で読み取り、取得した複数の情報を照合して認証することにより、ジョブの処理を適切な場合に実行すること。【解決手段】  Ｓ２０５で拡張したビットに０をセットする（Ｓ２０７）。次に、Ｓ２０７でセットした値を固有コード１としてＨＤＤ４０４に保存する（Ｓ２０８）。次に、Ｓ２０５で拡張したビットに１をセットする（Ｓ２０９）。次に、Ｓ２０９でセットした値を認証コード１としてＨＤＤ４０４に保存する（Ｓ２１０）。Ｓ２０５で拡張したビットに１をセットする（Ｓ２１３）。次に、Ｓ２１３でセットした値を固有コード２としてＨＤＤ４０４に保存する（Ｓ２１４）。次に、Ｓ２０５で拡張したビットに０をセットする（Ｓ２１５）。次に、Ｓ２１５でセットした値を認証コード２としてＨＤＤ４０４に保存する（Ｓ２１６）。【選択図】  図７
2009290709.tif 000002
【特許請求の範囲】
【請求項１】
印刷装置と画像処理装置とにより構成される印刷システムであって、
前記印刷装置は、
第１の画像データを入力する入力手段と、
前記第１の画像データと第１の情報とに基づき第２の画像データを生成し、該第１の情報との照合により認証を実行するための第２の情報に基づき第３の画像データを生成する生成手段と、
前記第２の画像データを用いて用紙に印刷処理を実行して第１の原稿を生成し、前記第３の画像データを用いて用紙に印刷処理を実行して第２の原稿を生成する印刷手段とを有し、
前記画像処理装置は、
前記第１の原稿を読み取り第３の画像データを入力し、前記第２の原稿を読み取り第４の画像データを入力する読取手段と、
前記第３の画像データから前記第１の情報を取得し、前記第３の画像データから前記第２の情報を取得する取得手段と、
前記取得手段により取得した前記第１の情報と前記取得手段により取得した前記第２の情報とを照合することにより認証処理を実行する認証手段と、
前記認証手段による認証が成功した場合、前記読取手段により入力された前記第３の画像データを用いてジョブの処理を実行する実行手段とを有することを特徴とする印刷システム。
【請求項２】
前記生成手段は、前記第１の画像データと前記第２の情報とに基づき第３の画像データを生成することを特徴とする請求項１に記載の印刷システム。
【請求項３】
前記印刷装置は、前記第１の画像データを特定する第３の情報に基づき、前記第１の情報と前記第２の情報とを設定する設定手段を有することを特徴とする請求項１又は２に記載の印刷システム。
【請求項４】
前記第３の情報は、第１の画像データを管理するために付与される文書ＩＤであることを特徴とする請求項３に記載の印刷システム。
【請求項５】
前記設定手段は、前記文書ＩＤに１ビットの桁を追加することにより前記第１の情報と前記第２の情報とを設定することを特徴とする請求項４に記載の印刷システム。
【請求項６】
前記第１の情報と前記第２の情報とは、同じ情報であることを特徴とする請求項１乃至５のいずれかに記載の印刷システム。
【請求項７】
前記認証手段は、前記取得手段により取得した前記第１の情報と前記取得手段により取得した前記第２の情報とが一致した場合、認証を成功させることを特徴とする請求項１乃至６のいずれかに記載の印刷システム。
【請求項８】
前記画像処理装置は、複数のジョブの中から前記読取手段により入力された前記第３の画像データを用いて実行するジョブを決定する決定手段を有し、
前記実行手段は、前記決定手段により決定されたジョブを実行することを特徴とする請求項１乃至７のいずれかに記載の印刷システム。
【請求項９】
前記画像処理装置は、画像データを用いて用紙に印刷処理を実行する出力手段を有し、
前記実行手段は、前記決定手段により決定されたジョブがコピーのジョブであった場合、前記読取手段により入力された前記第３の画像データを用いて用紙に印刷処理を実行するよう前記出力手段を制御することを特徴とする請求項８に記載の印刷システム。
【請求項１０】
第１の画像データを入力する入力手段と、
前記第１の画像データと第１の情報とに基づき第２の画像データを生成し、該第１の情報との照合により認証を実行するための第２の情報に基づき第３の画像データを生成する生成手段と、
前記第２の画像データを用いて用紙に印刷処理を実行して第１の原稿を生成し、前記第３の画像データを用いて用紙に印刷処理を実行して第２の原稿を生成する印刷手段とを有することを特徴とする印刷装置。
【請求項１１】
前記生成手段は、前記第１の画像データと前記第２の情報とに基づき第３の画像データを生成することを特徴とする請求項１０に記載の印刷装置。
【請求項１２】
前記第１の画像データを特定する第３の情報に基づき、前記第１の情報と前記第２の情報とを設定する設定手段を有することを特徴とする請求項１０又は１１に記載の印刷装置。
【請求項１３】
前記第３の情報は、第１の画像データを管理するために付与される文書ＩＤであることを特徴とする請求項１２に記載の印刷装置。
【請求項１４】
前記設定手段は、前記文書ＩＤに１ビットの桁を追加することにより前記第１の情報と前記第２の情報とを設定することを特徴とする請求項１３に記載の印刷装置。
【請求項１５】
前記第１の情報と前記第２の情報とは、同じ情報であることを特徴とする請求項１０乃至１４のいずれかに記載の印刷装置。
【請求項１６】
第１の原稿を読み取り第１の画像データを入力し、第２の原稿を読み取り第２の画像データを入力する読取手段と、
前記第１の画像データから第１の情報を取得し、前記第２の画像データから第２の情報を取得する取得手段と、
前記取得手段により取得した前記第１の情報と前記取得手段により取得した前記第２の情報とを照合することにより認証処理を実行する認証手段と、
前記認証手段による認証が成功した場合、前記読取手段により入力された前記第１の画像データを用いてジョブの処理を実行する実行手段とを有することを特徴とする画像処理装置。
【請求項１７】
前記認証手段は、前記取得手段により取得した前記第１の情報と前記取得手段により取得した前記第２の情報とが一致した場合、認証を成功させることを特徴とする請求項１６に記載の画像処理装置。
【請求項１８】
複数のジョブの中から前記読取手段により入力された前記第１の画像データを用いて実行するジョブを決定する決定手段を有し、
前記実行手段は、前記決定手段により決定されたジョブを実行することを特徴とする請求項１６又は１７に記載の画像処理装置。
【請求項１９】
画像データを用いて用紙に印刷処理を実行する出力手段を有し、
前記実行手段は、前記決定手段により決定されたジョブがコピーのジョブであった場合、前記読取手段により入力された前記第１の画像データを用いて用紙に印刷処理を実行するよう前記出力手段を制御することを特徴とする請求項１８に記載の画像処理装置。
【請求項２０】
印刷装置と画像処理装置とにより構成される印刷システムを制御するための制御方法であって、
前記印刷装置が、第１の画像データを入力する入力工程と、
前記印刷装置が、前記第１の画像データと第１の情報とに基づき第２の画像データを生成し、該第１の情報との照合により認証を実行するための第２の情報に基づき第３の画像データを生成する生成工程と、
前記印刷装置が、前記第２の画像データを用いて用紙に印刷処理を実行して第１の原稿を生成し、前記第３の画像データを用いて用紙に印刷処理を実行して第２の原稿を生成する印刷工程と、
前記画像処理装置が、前記第１の原稿を読み取り第３の画像データを入力し、前記第２の原稿を読み取り第４の画像データを入力する読取工程と、
前記画像処理装置が、前記第３の画像データから前記第１の情報を取得し、前記第３の画像データから前記第２の情報を取得する取得工程と、
前記画像処理装置が、前記取得工程により取得した前記第１の情報と前記取得工程により取得した前記第２の情報とを照合することにより認証処理を実行する認証工程と、
前記画像処理装置が、前記認証工程による認証が成功した場合、前記読取工程により入力された前記第３の画像データを用いてジョブの処理を実行する実行工程とを有することを特徴とする制御方法。
【発明の詳細な説明】
【技術分野】
【０００１】
本発明は、印刷システム、印刷装置、画像処理装置及び印刷システムの制御方法に関するものである。
【背景技術】
【０００２】
印刷装置において、著作権や情報機密の観点から、原稿が勝手に印刷されてしまうと不都合が生じる場合がある。
【０００３】
この様な問題に対し、近年、印刷装置で原稿を読み取ってジョブを実行する際、読み取る原稿によってジョブの実行を制限する技術が考えられるようになってきた。
【０００４】
特許文献１には、原稿の複写禁止を示す画像を原稿画像と合成して印刷し、その原稿を複写する際には認証を必要とする方法が記載されている。
【特許文献１】特開２００７−１４０２３
【発明の開示】
【発明が解決しようとする課題】
【０００５】
特許文献１に記載された方法において、ジョブの実行の制限を解除するためには、パスワードを用いたユーザーの認証が必要となる。
【０００６】
しかし、パスワードを用いた認証方法は、ユーザーがパスワードを忘れたり流出したりした場合に問題がある。
【０００７】
さらに、パスワード以外を用いた認証方法として、ＩＤカードや生体認証を用いた方法が存在するが、これらの方法を用いるためには、それぞれの認証を実行するために必要な専用の装置を、印刷装置に別途追加しなければならない。
【０００８】
本発明は、ジョブの処理を実行する際、印刷装置で印刷した複数の原稿を、画像処理装置で読み取り、取得した複数の情報を照合して認証することにより、ジョブの処理を適切な場合に実行することを目的とする。
【課題を解決するための手段】
【０００９】
本発明に係る印刷システムは、印刷装置と画像処理装置とにより構成され、前記印刷装置は、第１の画像データを入力する入力手段と、前記第１の画像データと第１の情報とに基づき第２の画像データを生成し、該第１の情報との照合により認証を実行するための第２の情報に基づき第３の画像データを生成する生成手段と、前記第２の画像データを用いて用紙に印刷処理を実行して第１の原稿を生成し、前記第３の画像データを用いて用紙に印刷処理を実行して第２の原稿を生成する印刷手段とを有し、前記画像処理装置は、前記第１の原稿を読み取り第３の画像データを入力し、前記第２の原稿を読み取り第４の画像データを入力する読取手段と、前記第３の画像データから前記第１の情報を取得し、前記第３の画像データから前記第２の情報を取得する取得手段と、前記取得手段により取得した前記第１の情報と前記取得手段により取得した前記第２の情報とを照合することにより認証処理を実行する認証手段と、前記認証手段による認証が成功した場合、前記読取手段により入力された前記第３の画像データを用いてジョブの処理を実行する実行手段とを有することを特徴とする。
【００１０】
また、本発明に係る印刷装置は、第１の画像データを入力する入力手段と、前記第１の画像データと第１の情報とに基づき第２の画像データを生成し、該第１の情報との照合により認証を実行するための第２の情報に基づき第３の画像データを生成する生成手段と、前記第２の画像データを用いて用紙に印刷処理を実行して第１の原稿を生成し、前記第３の画像データを用いて用紙に印刷処理を実行して第２の原稿を生成する印刷手段とを有することを特徴とする。
【００１１】
また、本発明に係る画像処理装置は、第１の原稿を読み取り第１の画像データを入力し、第２の原稿を読み取り第２の画像データを入力する読取手段と、前記第１の画像データから第１の情報を取得し、前記第２の画像データから第２の情報を取得する取得手段と、前記取得手段により取得した前記第１の情報と前記取得手段により取得した前記第２の情報とを照合することにより認証処理を実行する認証手段と、前記認証手段による認証が成功した場合、前記読取手段により入力された前記第１の画像データを用いてジョブの処理を実行する実行手段とを有することを特徴とする。
【００１２】
また、本発明に係る制御方法は、印刷装置と画像処理装置とにより構成される印刷システムを制御するための制御方法であり、前記印刷装置が、第１の画像データを入力する入力工程と、前記印刷装置が、前記第１の画像データと第１の情報とに基づき第２の画像データを生成し、該第１の情報との照合により認証を実行するための第２の情報に基づき第３の画像データを生成する生成工程と、前記印刷装置が、前記第２の画像データを用いて用紙に印刷処理を実行して第１の原稿を生成し、前記第３の画像データを用いて用紙に印刷処理を実行して第２の原稿を生成する印刷工程と、前記画像処理装置が、前記第１の原稿を読み取り第３の画像データを入力し、前記第２の原稿を読み取り第４の画像データを入力する読取工程と、前記画像処理装置が、前記第３の画像データから前記第１の情報を取得し、前記第３の画像データから前記第２の情報を取得する取得工程と、前記画像処理装置が、前記取得工程により取得した前記第１の情報と前記取得工程により取得した前記第２の情報とを照合することにより認証処理を実行する認証工程と、前記画像処理装置が、前記認証工程による認証が成功した場合、前記読取工程により入力された前記第３の画像データを用いてジョブの処理を実行する実行工程とを有することを特徴とする。
【発明の効果】
【００１３】
本発明により、ジョブの処理を実行する際、印刷装置で印刷した複数の原稿を、画像処理装置で読み取り、取得した複数の情報を照合して認証することにより、ジョブの処理を適切な場合に実行することが可能となる。
【発明を実施するための最良の形態】
【００１４】
〔第１実施形態〕
図１は、第１実施形態に係るシステムの構成を示す図である。
【００１５】
１０１は、ＰＣである。１０２は、プリンタである。１０３は、ネットワークである。ＰＣ１０１とプリンタ１０２は、ネットワーク１０３により接続され、画像データ等のデータの伝送が行われる。なお、ＰＣ１０１とプリンタ１０２の接続はローカル接続でもよい。
【００１６】
図２は、第１実施形態に係るＰＣ１０１の構成を示すブロック図である。
【００１７】
２０１はＣＰＵであり、ＲＡＭ２０３に展開されたプログラムに基づき、ＰＣ１０１の各構成２０２〜２０７を制御する。２０２はＲＯＭ（不揮発性記憶媒体）であり、ＣＰＵ２０１が実行するブートプログラム等を記憶する。２０３はＲＡＭ（揮発性記憶媒体）であり、ＣＰＵ２０１が実行するＯＳやアプリケーションのプログラム等がＨＤＤ２０４から展開される。２０４はＨＤＤ（不揮発性記憶媒体）であり、ＣＰＵ２０１が実行するＯＳやアプリケーションのプログラム等を記憶する。２０５はディスプレイであり、ＰＣ１０１における各種情報等をユーザーに表示する。２０６はユーザーインターフェースであり、マウスやキーボードを用いて、ＰＣ１０１に対する各種入力等をユーザーから受け付ける。３０７はネットワークインターフェースであり、プリンタ１０２等の外部装置から画像データ等の入出力を行う。
【００１８】
図３は、第１実施形態に係るプリンタ１０２の構成を示すブロック図である。
【００１９】
３０１は制御部であり、プリンタ１０２の各構成３０２〜３０４を制御する。制御部３０１の詳細は、図４を用いて後述する。３０２は操作部であり、表示部と入力部とを有し、表示部によりユーザーにプリンタ１０２の操作画面を提供するとともに、入力部によりユーザーからプリンタ１０２に対する各種操作を受け付ける。３０３は読取部であり、原稿から画像データを読み取り、制御部３０１に入力する。３０４は印刷部であり、制御部３０１により画像処理を実行された画像データに基づいて、出力用紙に画像形成を実行する。
【００２０】
図４は、第１実施形態に係る制御部３０１の詳細を示すブロック図である。
【００２１】
４０１はＣＰＵであり、ＲＡＭ４０３に展開されたプログラムに基づき、プリンタ１０２の各構成３０２〜３０４やプリンタ制御部３０１の各構成４０２〜４０７を制御する。４０２はＲＯＭ（不揮発性記憶媒体）であり、ＣＰＵ４０１が実行するブートプログラム等を記憶する。４０３はＲＡＭ（揮発性記憶媒体）であり、ＣＰＵ４０１が実行するＯＳやアプリケーションのプログラム等がＨＤＤ４０４から展開される。４０４はＨＤＤ（不揮発性記憶媒体）であり、ＣＰＵ４０１が実行するＯＳやアプリケーションのプログラム等を記憶する。４０５はイメージプロセッサであり、イメージメモリ４０６に記憶された画像データに対して各種画像処理を実行する。４０６はイメージメモリ（揮発性記憶媒体）であり、読取部３０３やネットワークインターフェース４０７から入力された画像データを一時的に保持する。４０７はネットワークインターフェースであり、ＰＣ１０１等の外部装置から画像データ等の入出力を行う。
【００２２】
ジョブには、コピー・プリント・ＦＡＸ・ＳＥＮＤ・ＢＯＸ等が含まれる。コピーとは、読取部３０３により読み取った画像データを印刷部３０４により印刷することである。プリントとは、ネットワークインターフェース４０７によりＰＣ１０１から受信した画像データを印刷部３０４により印刷することである。ＦＡＸとは、読取部３０３により読み取った画像データ等を、電話回線を用いて送受信することである。ＳＥＮＤとは、読取部３０３により読み取った画像データ等を、ネットワークを用いて送受信することである。ＢＯＸとは、読取部３０３により読み取った画像データ等を、ＨＤＤ２０４等の記憶媒体に記憶することである。
【００２３】
図５は、第１実施形態に係る合成原稿の生成過程を示す概念図である。
【００２４】
まず、原稿をスキャンし、原稿画像の画像データ（第１の画像データ）を入力する。一方、ユーザーから入力された設定により文書ＩＤ（第３の情報）に基づき認証情報１（第１の情報を含む）と認証情報２（第２の情報を含む）を生成し、認証情報１と認証情報２それぞれに基づき認証画像１と認証画像２の画像データを生成する。次に、原稿画像の画像データを認証画像１と認証画像２の画像データそれぞれと合成し、合成画像１の画像データ（第２の画像データ）と合成画像２の画像データ（第３の画像データ）を生成する。次に、合成画像１と合成画像２それぞれを用紙にプリントし、合成原稿１（第１の原稿）と合成原稿２（第２の原稿）を出力する。
【００２５】
図６は、第１実施形態に係る合成原稿の生成過程を示すフローチャートである。なお、このフローチャートの制御は、ＣＰＵ４０１がＨＤＤ４０４に記憶されたプログラムをＲＡＭ４０３に読み出し実行することにより実行される。
【００２６】
まず、操作部３０２により、設定を入力する（Ｓ１０１）。
【００２７】
図８は、設定Ｓ１０１で操作部３０２に表示される設定画面である。図８において、ユーザーは、ジョブごとにセキュリティーレベルを設定することができる。このセキュリティーレベルは、ユーザーごとに異なるものを設定してもかまわない。また、認証を実行する際に用いるパスワードを設定することもできる。図８では、Ｃｏｐｙは認証を必要とし、ＳｅｎｄとＦａｘは認証に関わらず禁止し、Ｂｏｘは認証に関わらず許可するように設定されている。
【００２８】
次に、読取部３０３により、原稿を原稿画像として読み取る（Ｓ１０２）。次に、Ｓ１０１で入力された設定に基づき、認証情報を生成する（Ｓ１０３）。Ｓ１０３の詳細は、図７を用いて後述する。Ｓ１０３では、２種類の認証情報（認証情報１と認証情報２）が生成される。次に、イメージプロセッサ４０５により、Ｓ１０３で生成した２種類の認証情報それぞれに基づき、２種類の認証画像（認証画像１と認証画像２）を生成する（Ｓ１０４）。Ｓ１０４の詳細は、後述する。次に、イメージプロセッサ４０５により、Ｓ１０２で読み取った原稿画像とＳ１０４で生成した２種類の認証画像それぞれとを合成し、２種類の合成画像（合成画像１と合成画像２）を生成する（Ｓ１０５）。次に、印刷部３０４により、Ｓ１０５で生成した２種類の合成画像それぞれを印刷し２種類の合成原稿（合成原稿１と合成原稿２）として出力する（Ｓ１０６）。
【００２９】
Ｓ１０４において、ＣＰＵ４０１は、ＨＤＤ４０４に記憶された認証画像生成プログラムを実行する。認証画像生成プログラムは、認証情報を入力情報として、その入力情報に所定の関数処理を実行することにより、認証情報に応じたコードデータを生成する。また、認証画像生成プログラムは、コードデータをステップＳ１０２で読み取られた原稿のサイズに応じた２次元画像となるように、複数のコードデータを元に認証画像を生成する。この認証画像は、人間には視認しにくいような画像として生成するのが望ましい。人間には視認しにくいような画像として生成することで、後述する合成画像から生成される合成原稿中では認証画像を合成したことによる視認性の低下を防止することができる。また、プリンタ１０２がイエロー、マゼンタ、シアン、ブラックの４色のトナーを用いて印刷処理するカラープリンタである場合、認証画像がイエローのトナーにて印刷処理されるように認証画像を生成するのが望ましい。印刷処理により生成された原稿中でイエロートナーにより印刷処理された部分は、一般的に視認性が低いので、認証画像を合成したことによる視認性の低下を防止することができる。
【００３０】
図７は、第１実施形態に係る認証情報生成Ｓ１０３の詳細を示すフローチャートである。
【００３１】
まず、Ｓ１０１で設定したパスワードをＨＤＤ４０４に保存する（Ｓ２０１）。次に、Ｓ１０１で設定したセキュリティーレベルをＨＤＤ４０４に保存する（Ｓ２０２）。
【００３２】
次に、文書ＩＤを生成する（Ｓ２０３）。この文書ＩＤは、印刷された出力物を特定し管理するために文書のデータに付与される、文書ごとに固有のＩＤである。次に、Ｓ２０１で生成した文書ＩＤをＨＤＤ４０４に保存する（Ｓ２０４）。次に、Ｓ２０３で生成した文書ＩＤの桁を１ビット拡張する（Ｓ２０５）。なお、拡張するビットは、先頭でも末尾でもよい。
【００３３】
次に、認証情報１を生成するか否かを判断する（Ｓ２０６）。Ｓ２０６では、認証情報１が生成されていない場合は認証情報１を生成すると判断し、認証情報１が生成されている場合は認証情報１を生成しないと判断する。Ｓ２０６で、認証情報１を生成すると判断された場合、Ｓ２０７に移行する。Ｓ２０６で、認証情報１を生成しないと判断された場合、Ｓ２１３に移行する。
【００３４】
Ｓ２０６で認証情報１を生成すると判断された場合、Ｓ２０５で拡張したビットに０をセットする（Ｓ２０７）。次に、Ｓ２０７でセットした値を固有コード１としてＨＤＤ４０４に保存する（Ｓ２０８）。次に、Ｓ２０５で拡張したビットに１をセットする（Ｓ２０９）。次に、Ｓ２０９でセットした値を認証コード１としてＨＤＤ４０４に保存する（Ｓ２１０）。次に、Ｓ２０１で保存したパスワードとＳ２０２で保存したセキュリティーレベルとＳ２０４で保存した文書ＩＤとＳ２０８で保存した固有コード１とＳ２１０で保存した認証コード１とを、認証情報１として登録する（Ｓ２１１）。
【００３５】
次に、認証情報１と認証情報２の生成が両方とも完了したか否かを判断する（Ｓ２１２）。Ｓ２１２で、認証情報１と認証情報２の生成が両方とも完了したと判断された場合、処理を終了する。Ｓ２１２で、認証情報１と認証情報２の少なくともいずれか一方の生成が完了していないと判断された場合、Ｓ２０６に移行する。
【００３６】
Ｓ２０６で認証情報１を生成しないと判断された場合、Ｓ２０５で拡張したビットに１をセットする（Ｓ２１３）。次に、Ｓ２１３でセットした値を固有コード２としてＨＤＤ４０４に保存する（Ｓ２１４）。次に、Ｓ２０５で拡張したビットに０をセットする（Ｓ２１５）。次に、Ｓ２１５でセットした値を認証コード２としてＨＤＤ４０４に保存する（Ｓ２１６）。次に、Ｓ２０１で保存したパスワードとＳ２０２で保存したセキュリティーレベルとＳ２０４で保存した文書ＩＤとＳ２１４で保存した固有コード２とＳ２１６で保存した認証コード２とを、認証情報２として登録する（Ｓ２１７）。
【００３７】
図９は、第１実施形態に係る認証情報生成Ｓ１０３で生成される認証情報である。図９において、パスワードとセキュリティーレベルと文書ＩＤとは、認証情報１と認証情報２とで共通のものが用いられる。また、固有コードと認証コードとは、認証情報１と認証情報２とで互いに異なるものが用いられる。図９では、固有コード１が認証コード２に対応し、固有コード２が認証コード１に対応している。
【００３８】
図１０は、第１実施形態に係る合成原稿に基づくジョブの実行過程を示す概念図である。
【００３９】
まず、実行するジョブを決定する。実行するジョブは、ユーザーの選択により、Ｃｏｐｙ，Ｓｅｎｄ，Ｂｏｘ，Ｆａｘの中から決定する。次に、合成原稿１（第１の原稿）と合成原稿２（第２の原稿）をそれぞれスキャンし、合成画像１の画像データ（第３の画像データ）と合成画像２の画像データ（第４の画像データ）を入力する。次に、合成画像１の認証情報１（第１の情報を含む）と合成画像２の認証情報２（第２の情報を含む）の画像データをそれぞれ解析し、解析したデータに基づき認証処理を実行する。次に、認証処理において認証が成功した場合、合成画像１に基づき、決定したジョブを実行する。
【００４０】
図１１は、第１実施形態に係る合成原稿に基づくジョブの実行過程を示すフローチャートである。なお、このフローチャートの制御は、ＣＰＵ４０１がＨＤＤ４０４に記憶されたプログラムをＲＡＭ４０３に読み出し実行することにより実行される。
【００４１】
まず、これから実行するジョブの種類を決定する（Ｓ３０１）。次に、読取部３０３により、Ｓ１０６で印刷された合成原稿１を読み取り合成画像１を入力する（Ｓ３０２）。次に、Ｓ３０２で読み取った合成画像１からＳ１０３で生成した認証情報１を解析する（Ｓ３０３）。Ｓ３０３の詳細は、後述する。次に、Ｓ３０３で解析した認証情報１に含まれるセキュリティーレベル１を確認することにより、Ｓ３０１で決定したジョブをＳ３０２で読み取った合成原稿１を用いて実行するために認証が必要であるか否かを判断する（Ｓ３０４）。Ｓ３０４で認証が必要であると判断された場合、Ｓ３０５に移行する。Ｓ３０４で認証が必要でないと判断された場合、Ｓ３０７に移行する。
【００４２】
Ｓ３０４で、認証が必要であると判断された場合、認証を実行する（Ｓ３０５）。Ｓ３０５の詳細は、図１２を用いて後述する。次に、Ｓ３０５の認証の結果、認証が成功したか否かを判断する（Ｓ３０６）。Ｓ３０６で認証が成功したと判断された場合、Ｓ３０７に移行する。Ｓ３０６で認証が成功しなかったと判断された場合、Ｓ３０５に移行する。
【００４３】
Ｓ３０６で認証が成功したと判断された場合、Ｓ３０１で決定したジョブをＳ３０２で読み取った合成原稿１を用いて実行する（Ｓ３０７）。
【００４４】
図１２は、第１実施形態に係る認証Ｓ３０５の詳細を示すフローチャートである。
【００４５】
まず、ユーザーから認証方法の選択を受け付ける（Ｓ４０１）。
【００４６】
図１３は、第１実施形態に係る認証方法の選択Ｓ４０１で操作部３０２に表示される設定画面である。図１３では、パスワードとスキャンの２種類が選択可能となっており、パスワードを選択すると認証用のパスワードが入力可能となっている。パスワードを選択すると、Ｓ２０１で保存されたパスワードによる認証が実行される。スキャンを選択すると、Ｓ２１０及びＳ２１６で生成した認証コードを用いた認証が実行される。
【００４７】
次に、Ｓ４０１において、ユーザーによりパスワード認証が選択されたか否かを判断する（Ｓ４０２）。Ｓ４０２でパスワード認証が選択されたと判断された場合、Ｓ４０３に移行する。Ｓ４０２でパスワード認証が選択されなかったと判断された場合、Ｓ４０６に移行する。
【００４８】
Ｓ４０２でパスワード認証が選択されたと判断された場合、ユーザーから認証に必要なパスワードの入力を受け付ける（Ｓ４０３）。本実施形態において、認証に必要なパスワードの入力は、図１３に示すように認証方法の選択画面と同じ画面で受け付けるものとするが、認証方法の選択画面と別の画面で受け付けても構わない。次に、Ｓ３０３で解析した１種類目の認証情報に含まれる１種類目のパスワードを取得する（Ｓ４０４）。次に、Ｓ４０３で入力したパスワードとＳ４０４で確認したパスワードとを照合する（Ｓ４０５）。Ｓ４０５の照合の結果、Ｓ４０３で入力したパスワードとＳ４０４で確認したパスワードとが一致していた場合は認証され、一致していなかった場合は認証されない。
【００４９】
Ｓ４０２でパスワード認証が選択されなかったと判断された場合、Ｓ３０３で解析した認証情報１に含まれる固有コード１を取得する（Ｓ４０６）。次に、読取部３０３により、Ｓ１０６で印刷された合成原稿２を読み取り合成画像２を入力する（Ｓ４０７）。次に、Ｓ４０７で読み取った合成画像２からＳ１０３で生成した認証情報２を解析する（Ｓ４０８）。Ｓ４０８の詳細は、後述する。次に、Ｓ４０８で解析した認証情報２に含まれる認証コード２を取得する（Ｓ４０９）。次に、Ｓ４０６で確認した固有コード１とＳ４０９で確認した認証コード２とを照合する（Ｓ４１０）。照合の結果、Ｓ４０６で確認した固有コード１とＳ４０９で確認した認証コード２とが一致していた場合は認証され、一致していなかった場合は認証されない。
【００５０】
Ｓ３０３及びＳ４０８において、ＣＰＵ４０１は、ＨＤＤ４０４に記憶された認証情報解析プログラムを実行する。認証情報解析プログラムは、合成原稿を読み取って得た合成画像から合成画像に埋め込まれたコードデータを解析し、解析されたコードデータから認証情報を抽出する。例えば、図６のフローチャートにおけるステップＳ１０２で認証情報１からコードデータが生成されている場合、ＣＰＵ４０１は合成画像からそのコードデータを解析し、解析されたコードデータから認証情報１を抽出する。また、図６のフローチャートにおけるステップＳ１０２で認証情報２からコードデータが生成されている場合、ＣＰＵ４０１は合成画像からそのコードデータを解析し、解析されたコードデータから認証情報２を抽出する。
【００５１】
以上のように、第１実施形態では、合成原稿１と合成原稿２に同じ原稿画像が印刷される。また、合成原稿１と合成原稿２には互いに異なる認証情報（認証情報１と認証情報２）が含まれており、これらを相互に照合することにより認証を実行する。よって、合成原稿１と合成原稿２のうち、いずれか一方（どちらでもよい）を流通用として頒布し、もう一方を認証用として保管することとなる。
【００５２】
第１実施形態により、ジョブの処理を実行する際、印刷装置で印刷した複数の原稿を、画像処理装置で読み取り、取得した複数の情報を照合して認証することにより、ジョブの処理を適切な場合に実行することが可能となる。
【００５３】
また、第１実施形態により、合成原稿１と合成原稿２とには同じ原稿画像が印刷される。これにより、合成原稿１と合成原稿２のうち、いずれか一方（どちらでもよい）を流通用として頒布し、もう一方を認証用として保管することが可能となる。
【００５４】
〔第２実施形態〕
第２実施形態に係るハードウェアの構成は、図１〜図４を用いて説明した第１実施形態に係るものと同様であるため、省略する。
【００５５】
図１４は、第２実施形態に係る合成原稿の生成過程を示す概念図である。
【００５６】
まず、原稿をスキャンし、原稿画像の画像データを入力する。一方、ユーザーから入力された設定に基づき認証情報１と認証情報２を生成し、認証情報１と認証情報２それぞれに基づき認証画像１と認証画像２の画像データを生成する。次に、原稿画像の画像データを認証画像１と合成し、合成画像１を生成する。次に、合成画像１と認証画像２それぞれを用紙にプリントし、合成原稿１と認証原稿２を出力する。
【００５７】
第２実施形態に係る合成原稿の生成過程を示すフローチャートは、図６と図７を用いて説明した第１実施形態に係るものと基本的に同様であるが、以下の点で異なる部分がある。
【００５８】
Ｓ１０５では、イメージプロセッサ４０５により、Ｓ１０２で読み取った原稿画像とＳ１０４で生成した認証画像１を合成し、合成画像１を生成する。Ｓ１０６では、印刷部３０４により、Ｓ１０５で生成した合成画像１を印刷し合成原稿１として出力し、Ｓ１０４で生成した認証画像２を印刷し認証原稿２として出力する。Ｓ２０９とＳ２１０とは実行しない。Ｓ２１１では、Ｓ２０１で保存したパスワードとＳ２０２で保存したセキュリティーレベルとＳ２０４で保存した文書ＩＤとＳ２０８で保存した固有コード１とを、認証情報１として登録する。Ｓ２１３とＳ２１４とは実行しない。Ｓ２１７では、Ｓ２０４で保存した文書ＩＤとＳ２１６で保存した認証コード２とを、認証情報２として登録する。
【００５９】
図１５は、第２実施形態に係る認証情報生成Ｓ１０３で生成される認証情報である。図１５において、パスワードとセキュリティーレベルと文書ＩＤとは、認証情報１のみに記憶される。また、固有コードは認証情報１のみに記憶され、認証コードは認証情報２のみに記憶される。図１５では、固有コード１が認証コード２に対応している。
【００６０】
図１６は、第２実施形態に係る合成原稿に基づくジョブの実行過程を示す概念図である。
【００６１】
まず、実行するジョブを決定する。次に、合成原稿１と認証原稿２をそれぞれスキャンし、合成画像１と認証画像２の画像データを入力する。次に、合成画像１と認証画像２の画像データをそれぞれ解析し、解析したデータに基づき認証を実行する。次に、認証が成功した場合、合成画像１に基づき、決定したジョブを実行する。
【００６２】
第２実施形態に係る合成原稿に基づくジョブの実行過程を示すフローチャートは、図１１と図１２を用いて説明した第１実施形態に係るものと基本的に同様であるが、以下の点で異なる部分がある。
【００６３】
Ｓ４０７では、読取部３０３により、Ｓ１０６で印刷された認証原稿２を読み取る。Ｓ４０８では、Ｓ４０７で読み取った認証原稿２からＳ１０３で生成した認証情報２を解析する。
【００６４】
以上のように、第２実施形態では、合成原稿１のみに原稿画像が印刷される。また、合成原稿１と合成原稿２には互いに異なる認証情報（認証情報１と認証情報２）が含まれており、認証情報１を認証情報２で照合することにより認証を実行する。よって、合成原稿１と合成原稿２のうち、合成原稿１を流通用として頒布し、合成原稿２を認証用として保管することとなる。
【００６５】
第２実施形態により、ジョブの処理を実行する際、印刷装置で印刷した複数の原稿を、画像処理装置で読み取り、取得した複数の情報を照合して認証することにより、ジョブの処理を適切な場合に実行することが可能となる。
【００６６】
また、第２実施形態により、合成原稿１のみに原稿画像が印刷される。そのため、合成画像１流通用として頒布し、認証原稿２を認証用として保管することになる。これにより、認証原稿２は、合成画像１ページごとに１ページ出力するだけでなく、複数ページごとや複数ジョブごとに１ページ出力することも可能となる。
【００６７】
〔他の実施形態〕
なお、本発明の目的は、前述したシステムまたは装置が記憶媒体から前述した実施の形態の機能を実現するソフトウェアのプログラムを読み出し実行することによっても達成される。
【００６８】
この場合、記憶媒体から読み出されたプログラム自体が本発明の新規な機能を実現することになり、そのプログラム及びプログラムを記憶した記憶媒体は本発明を構成することになる。
【００６９】
プログラムコードを供給するための記憶媒体としては、例えば、フレキシブルディスク、ハードディスク、ＲＯＭ、光ディスク、光磁気ディスク、ＣＤ−ＲＯＭ、ＤＶＤ−ＲＯＭ、ＤＶＤ−ＲＡＭ、磁気テープ、メモリカード等を用いることができる。
【００７０】
また、プログラムの指示に基づき、コンピュータ上で稼動しているＯＳ等が実際の処理の一部または全部を行い、その処理によって前述した実施の形態の機能が実現される場合も含まれる。
【００７１】
更に、プログラムがコンピュータに接続された機能拡張ユニット等に備わるメモリに書き込まれた後、その機能拡張ユニットに備わるＣＰＵ等が実際の処理の一部または全部を行い、その処理によって前述した実施の形態の機能が実現される場合も含まれる。
【図面の簡単な説明】
【００７２】
【図１】第１実施形態に係るシステムの構成を示す図
【図２】第１実施形態に係るＰＣ１０１の構成を示すブロック図
【図３】第１実施形態に係るプリンタ１０２の構成を示すブロック図
【図４】第１実施形態に係る制御部３０１の詳細を示すブロック図
【図５】第１実施形態に係る合成原稿の生成過程を示す概念図
【図６】第１実施形態に係る合成原稿の生成過程を示すフローチャート
【図７】第１実施形態に係る認証情報生成Ｓ１０３の詳細を示すフローチャート
【図８】第１実施形態に係る設定Ｓ１０１で操作部３０２に表示される設定画面
【図９】第１実施形態に係る認証情報生成Ｓ１０３で生成される認証情報
【図１０】第１実施形態に係る合成原稿に基づくジョブの実行過程を示す概念図
【図１１】第１実施形態に係る合成原稿に基づくジョブの実行過程を示すフローチャート
【図１２】第１実施形態に係る認証Ｓ３０５の詳細を示すフローチャート
【図１３】第１実施形態に係る認証方法の選択Ｓ４０１で操作部３０２に表示される設定画面
【図１４】第２実施形態に係る合成原稿の生成過程を示す概念図
【図１５】第２実施形態に係る認証情報生成Ｓ１０３で生成される認証情報
【図１６】第２実施形態に係る合成原稿に基づくジョブの実行過程を示す概念図
【符号の説明】
【００７３】
１０１  ＰＣ
１０２  プリンタ
１０３  ネットワーク
２０１  ＣＰＵ
２０２  ＲＯＭ
２０３  ＲＡＭ
２０４  ＨＤＤ
２０５  ディスプレイ
２０６  ユーザーインターフェース
２０７  ネットワークインターフェース
３０１  制御部
３０２  操作部
３０３  読取部
３０４  印刷部
４０１  ＣＰＵ
４０２  ＲＯＭ
４０３  ＲＡＭ
４０４  ＨＤＤ
４０５  イメージプロセッサ
４０６  イメージメモリ
４０７  ネットワークインターフェース
【図１】
2009290709.tif 000003
【図２】
2009290709.tif 000004
【図３】
2009290709.tif 000005
【図４】
2009290709.tif 000006
【図５】
2009290709.tif 000007
【図６】
2009290709.tif 000008
【図７】
2009290709.tif 000009
【図８】
2009290709.tif 000010
【図９】
2009290709.tif 000011
【図１０】
2009290709.tif 000012
【図１１】
2009290709.tif 000013
【図１２】
2009290709.tif 000014
【図１３】
2009290709.tif 000015
【図１４】
2009290709.tif 000016
【図１５】
2009290709.tif 000017
【図１６】
2009290709.tif 000018